(57)【要約】【課題】  畳表面での畳表と畳床との境界における防水性及び剛性を確保するのみならず、畳側面での畳表と畳床との境界における防水性及び剛性をも確保する。【解決手段】  畳表３は、その裏面３ａが畳床２の表面２ａの全域に対して接着剤１１ｇを介して全面接着されていると共に、畳表３の裏面３ａが畳床２の全周側面２ｂの全域に対しても接着剤１１ｇを介して全面接着されている。畳表３が畳床２の表面２ａの全域に密着されて隙間のない構成が実現されることにより、畳表面での畳表３と畳床２との境界における防水性及び剛性を確保することのみならず、畳表３が畳床２の全周側面２ｂの全域にも密着されて隙間のない構成が実現されることにより、畳側面での畳表３と畳床２との境界における防水性及び剛性をも確保することができる。【選択図】  図１
2006194015.tif 000002
【特許請求の範囲】
【請求項１】
合成樹脂製の板材が複数積層されると共に前記複数の板材のうち少なくとも最上位の板材及び最下位の板材の各々が次位の板材に対して接着剤を介して全面接着されて構成される畳床と、前記畳床に対して取り付けられている合成樹脂製の畳表とを備えてなる畳において、
前記畳表は、その裏面が前記畳床の表面の略全域及び少なくとも一対の対向し合う二つの側面の略全域に対して接着剤を介して全面接着されていることを特徴とする畳。
【請求項２】
前記畳表は、その裏面が前記畳床の全周側面の略全域に対して接着剤を介して全面接着されていることを特徴とする請求項１記載の畳。
【請求項３】
前記畳表は、その裏面が前記畳床の裏面の一部に対しても接着剤を介して接着されていることを特徴とする請求項１または２記載の畳。
【請求項４】
その下部が支持部材に支持されることにより、直立可能に構成されていることを特徴とする請求項１ないし３のいずれかに記載の畳。
【発明の詳細な説明】
【技術分野】
【０００１】
本発明は、畳床に対して畳表が取り付けられて構成される畳に関する。
【背景技術】
【０００２】
従来より、畳表面での畳表と畳床との境界における防水性及び剛性を確保することを目的として、畳表が畳床の表面に対して接着剤を介して全面接着されて構成される畳が供されている（例えば特許文献１参照）。
【特許文献１】特開２００２−０７０２９２号公報
【発明の開示】
【発明が解決しようとする課題】
【０００３】
ところで、上記した特許文献１に記載されている畳は、縁を有する所謂縁あり畳であり、縁が畳床の側面に縫着されているものである。そのため、この種の縁あり畳においては、畳表面では、畳表が畳床の表面に対して接着剤を介して全面接着され、畳表が畳床の表面に密着されて隙間のない構成が実現されることにより、防水性及び剛性を確保することができるものであるが、一方、畳側面では、縁を畳床の側面に対して縫着した際の針穴が形成されているものである。したがって、このように構成されてなる縁あり畳を水で丸洗いするような場合には、畳表面から内部への水や汚れの浸透を防止することができるものの、畳側面から内部への水や汚れの浸透を防止することができず、水や汚れの浸透が原因となって悪臭が発生したり腐食したりして製品寿命（使用可能期間）を早めてしまうという問題がある。
【０００４】
一方、近年では、縁を有しない所謂縁なし畳も普及している。この種の縁なし畳においても、畳表が畳床の表面に対して接着剤を介して全面接着され、畳表が畳床の表面に密着されて隙間のない構成が実現されることにより、畳表面での畳表と畳床との境界における防水性及び剛性を確保することができる。しかしながら、畳表が畳床の側面に対して縫着されてしまうと、上記した縁あり畳と同様にして、畳側面から内部への水や汚れの浸透を防止することができず、水や汚れの浸透が原因となって悪臭が発生したり腐食したりして製品寿命を早めてしまうという問題がある。
【０００５】
本発明は、上記した事情に鑑みてなされたものであり、その目的は、畳表面での畳表と畳床との境界における防水性及び剛性を確保するのみならず、畳側面での畳表と畳床との境界における防水性及び剛性をも確保することができ、それによって、清潔に且つ長期間にわたって使用することができる畳を提供することにある。
【課題を解決するための手段】
【０００６】
請求項１記載の畳は、合成樹脂製の板材が複数積層されると共に前記複数の板材のうち少なくとも最上位の板材及び最下位の板材の各々が次位の板材に対して接着剤を介して全面接着されて構成される畳床と、前記畳床に対して取り付けられている合成樹脂製の畳表とを備えてなる畳において、前記畳表は、その裏面が前記畳床の表面の略全域及び少なくとも一対の対向し合う二つの側面の略全域に対して接着剤を介して全面接着されていることに特徴を有する。
【０００７】
請求項２記載の畳は、前記畳表は、その裏面が前記畳床の全周側面の略全域に対して接着剤を介して全面接着されていることに特徴を有する。
請求項３記載の畳は、前記畳表は、その裏面が前記畳床の裏面の一部に対しても接着剤を介して接着されていることに特徴を有する。
【０００８】
請求項４記載の畳は、その下部が支持部材に支持されることにより、直立可能に構成されていることに特徴を有する。
【発明の効果】
【０００９】
請求項１記載の畳によれば、畳表の裏面が畳床の表面の略全域に対して接着剤を介して全面接着されていると共に、畳表の裏面が畳床の少なくとも一対の対向し合う二つの側面の略全域に対しても接着剤を介して全面接着されているように構成したので、畳表が畳床の表面の略全域に密着されて隙間のない構成が実現されることにより、畳表面での畳表と畳床との境界における防水性及び剛性を確保することのみならず、畳表が畳床の少なくとも一対の対向し合う二つの側面の略全域にも密着されて隙間のない構成が実現されることにより、畳側面での畳表と畳床との境界における防水性及び剛性をも確保することができ、これによって、清潔に且つ長期間にわたって使用することができる。
【００１０】
請求項２記載の畳によれば、畳表の裏面が畳床の全周側面の略全域に対して接着剤を介して全面接着されているように構成したので、畳表が畳床の全周側面の略全域に密着されて隙間のない構成が実現されることにより、畳側面での畳表と畳床との境界における防水性及び剛性をより確実に確保することができる。
【００１１】
請求項３記載の畳によれば、畳表の裏面が畳床の裏面の一部に対しても接着剤を介して接着されているように構成したので、畳表が畳床の裏面の一部にも密着されて隙間のない構成が実現されることにより、畳裏面での畳表と畳床との境界における防水性及び剛性をも確保することができる。
【００１２】
請求項４記載の畳によれば、その下部が支持部材に支持されることにより、直立可能に構成したので、例えば災害発生時の避難所などの不特定多数の人が集まる場所においての間仕切り（衝立）としても使用することができ、製品としての用途を広げることができると共に、人のプライバシーを確保することができる。また、基本的には通常の畳として使用することができるので、例えば人が密集することなく間仕切りが少なくて良い場合には、通常の畳として使用する枚数を多くすれば良く、一方、人が密集して間仕切りが多く必要な場合には、間仕切りとして使用する枚数を多くすれば良いなど、柔軟な使用態様を実現することができる。さらに、通常の畳と間仕切りとを別々の備品として保管する必要がなく、通常の畳と間仕切りとを１つの備品として整然と保管することができる利点もある。
【発明を実施するための最良の形態】
【００１３】
以下、本発明の一実施形態を図面に基づいて説明する。尚、図１は、図３における縁なし畳１のＡ−Ａ´の縦断側面を示している。縁なし畳１は、図３に示すように、例えば１畳サイズの大きさに形成されており、図１及び図２に示すように、板状に形成されている畳床２に対して畳表３が取り付けられて構成されている。畳床２は、発泡体４、プレート５，６、発泡シート７，８及び織布９，１０が積層されて構成されている。尚、これら発泡体４、プレート５，６、発泡シート７，８及び織布９，１０は、本発明でいう板材である。また、織布９は、本発明でいう最上位の板材であり、織布１０は、本発明でいう最下位の板材である。
【００１４】
発泡体４は、合成樹脂製の板材であり、材質としては発泡ポリスチレンビーズ、押出し発泡ポリスチレン及び発泡ポリプロピレンビーズなどが使用される。プレート５、６は、合成樹脂製の剛性を有する板材であり、材質としてはポリプロピレン、ポリエチレン、ポリ塩化ビニル、ポリスチレン、アクリロニトリル−ブタジエン−スチレン樹脂、ポリメチルメタクリレート、ポリカーボネイト、ポリアセタール、四フッ化エチレン樹脂及びシリコーン樹脂などが使用される。発泡シート７、８は、合成樹脂製の適度な弾力性を有する板材であり、材質としてはポリエチレン、ポリプロピレン、ポリスチレン及びポリ塩化ビニルなどが使用される。織布９、１０は、合成樹脂製の藁製の触感を有する板材であり、材質としてはポリエチレン、ポリプロピレン、ポリアミド及びポリ塩化ビニリデンなどが使用される。
【００１５】
この場合、発泡体４の表面４ａ側では、発泡体４の表面４ａとプレート５の裏面５ａとが接着剤１１ａを介して全面接着されており、プレート５の表面５ｂと発泡シート７の裏面７ａとが接着剤１１ｃを介して全面接着されており、発泡シート７の表面７ｂと織布９の裏面９ａとが接着剤１１ｅを介して全面接着されている。一方、発泡体４の裏面４ｂ側では、発泡体４の裏面４ｂとプレート６の裏面６ａとが接着剤１１ｂを介して全面接着されており、プレート６の表面６ｂと発泡シート８の裏面８ａとが接着剤１１ｄを介して全面接着されており、発泡シート８の表面８ｂと織布１０の裏面１０ａとが接着剤１１ｆを介して全面接着されている。尚、織布１０は、発泡シート８よりも小さい面積に形成されていることから、畳床２としては発泡シート８の一部が露出されている。また、上記した接着剤１１ａ〜１１ｆは、オレフィン系のホットメルトや合成ゴム系接着剤などが使用される。
【００１６】
次に、畳表３が畳床２に取り付けられている態様について説明する。畳表３は、その裏面３ａが畳床２の表面２ａ（織布９の表面９ｂ）の全域及び全周側面２ｂの全域に対して接着剤１１ｇを介して全面接着されていると共に裏面２ｃの一部（発泡シート８の表面８ｂ）に対しても接着剤１１ｇを介して全面接着されている。このような構成により、畳表３が畳床２の表面２ａの全域、全周側面２ｂの全域及び裏面２ｃの一部に密着されて隙間のない構成が実現されている。尚、接着剤１１ｇも、上記した接着剤１１ａ〜１１ｆと同様にして、オレフィン系のホットメルトや合成ゴム系接着剤などが使用される。
【００１７】
さて、ここで、上記した構成の縁なし畳１を水で丸洗いする場合を想定する。縁なし畳１を水で丸洗いする場合には、例えばユーザ（洗濯人）がホースなどを使用して水を縁なし畳１の表面１ａに向けて放水すると考えられ、水が縁なし畳１の表面１ａに向けて放水されることに伴って、水が縁なし畳１の表面１ａから側面１ｂ，１ｃや裏面１ｄに向かって回り込むことがあり得る。しかしながら、本発明の縁なし畳１は、上記したように、畳表３が畳床２の表面２ａの全域、全周側面２ｂの全域及び裏面２ｃの一部に密着されて隙間のない構成が実現されているので、水が縁なし畳１の表面１ａから側面１ｂ，１ｃや裏面１ｄに向かって回り込んだとしても、その表面１ａ、側面１ｂ，１ｃ及び裏面１ｄから内部への水や汚れの浸透が防止されることになる。
【００１８】
ところで、以上は、図４（ａ）に示すように、畳表３の裏面３ａが畳床２の四辺の箇所に対して全面接着されて裏側へ折り込まれる態様を説明したが、図４（ｂ）に示すように、畳表３の裏面３ａが畳床２の短辺側の二辺の箇所（本発明でいう対向し合う二つの側面）に対して全面接着されて裏側へ折り込まれる態様であっても良いし、図４（ｃ）に示すように、畳表３の裏面３ａが畳床２の長辺側の二辺の箇所（本発明でいう対向し合う二つの側面）に対して全面接着されて裏側へ折り込まれる態様であっても良く、要求される仕様に応じて態様が選択されても良い。また、図５（ａ）〜（ｃ）に示すように、畳表３の裏面３ａが畳床２の表面及び側面に対して全面接着されるのみで裏側へ折り込まれない態様であっても良い。
【００１９】
また、以上に説明した縁なし畳１は、上記したように畳表３の裏面３ａが畳床２の表面２ａの全域及び全周側面２ｂの全域に対して接着剤１１ｇを介して全面接着されていることから、畳表面及び畳側面での剛性が確保されている。そのため、縁なし畳１は、その下部が支持部材で支持されることにより、歪んだり反ったりすることなく直立することが可能に構成されている。以下、本発明の縁なし畳１が支持部材を介して直立されることにより間仕切りとして使用される態様について、図６乃至図８を参照して説明する。
【００２０】
図６及び図７において、袴１２（本発明でいう支持部材）は、間伐材から構成され、縁なし畳１の厚さよりやや大きい幅のスリット１２ａが一方向に形成されている。また、袴１３（本発明でいう支持部材）は、間伐材から構成され、縁なし畳１の厚さよりやや大きい幅のスリット１３ａ，１３ｂが互いに直交する二方向に形成されている。図６では、２枚の縁なし畳１が袴１２及び袴１３に支持されて全体としてＬ字型を形成するように直立されており、Ｌ字型の間仕切りが形成されている例を示している。また、図７では、３枚の縁なし畳１が袴１２及び袴１３に支持されて全体としてＬ字型を形成するように直立されており、別のＬ字型の間仕切りが形成されている例を示している。尚、この場合、縁なし畳１は、互いの側面１ｂ同士が当接するように直立されても良いし、互いの側面１ｂ同士が当接しないように（所定間隔を存して）直立されても良い。
【００２１】
また、図８において、袴１４（本発明でいう支持部材）は、プラスチック材から構成され、縁なし畳１の厚さよりやや大きい幅のスリット１４ａが一方向に形成されている。図８でも、２枚の縁なし畳１が袴１４に支持されて全体としてＬ字型を形成するように直立されており、Ｌ字型の間仕切りが形成されている例を示している。
【００２２】
尚、本実施形態では、Ｌ字型の間仕切りが形成されている例を説明したが、縁なし畳１の配置態様を変更することにより、コ字型、四角型及び十字型などの様々な型の間仕切りを形成することも可能である。
【００２３】
以上に説明したように本実施形態によれば、畳表３の裏面３ａが畳床２の表面２ａの全域に対して接着剤１１ｇを介して全面接着されていると共に、畳表３の裏面３ａが畳床２の全周側面２ｂの全域に対しても接着剤１１ｇを介して全面接着されているように構成したので、畳表３が畳床２の表面２ａの全域に密着されて隙間のない構成が実現されることにより、畳表面での畳表３と畳床２との境界における防水性及び剛性を確保することのみならず、畳表３が畳床２の全周側面２ｂの全域にも密着されて隙間のない構成が実現されることにより、畳側面での畳表３と畳床２との境界における防水性及び剛性をも確保することができ、これによって、清潔に且つ長期間にわたって使用することができる。
【００２４】
また、畳表３の裏面３ａが畳床２の裏面２ｃの一部に対しても接着剤１１ｇを介して接着されるように構成したので、畳表３が畳床２の裏面２ｃの一部にも密着されて隙間のない構成が実現されることにより、畳裏面での畳表３と畳床２との境界における防水性及び剛性をも確保することができる。
【００２５】
そして、このように畳表面及び畳裏面での畳表３と畳床２との境界における剛性を確保することにより、畳表３と畳床２との水平方向（図３中矢印Ｂ１，Ｂ２参照）のずれを防止することができると共に、畳側面での畳表３と畳床２との境界における剛性を確保することにより、畳表３と畳床２との垂直方向（図３中矢印Ｃ１，Ｃ２参照）のずれを防止することができ、損傷を回避することができる。特に、このような畳表３と畳床２とのずれを防止することができる点は、例えば柔道場などある程度の衝撃が畳に与えられる可能性が高い環境で使用される場合に効果が大きい。
【００２６】
また、袴１２〜１４に支持されることにより、直立可能に構成したので、例えば災害発生時の避難所などの不特定多数の人が集まる場所においての間仕切りとしても使用することができ、製品としての用途を広げることができると共に、人のプライバシーを確保することができる。また、基本的には通常の畳として使用することができるので、例えば人が密集することなく間仕切りが少なくて良い場合には、通常の畳として使用する枚数を多くすれば良く、一方、人が密集して間仕切りが多く必要な場合には、間仕切りとして使用する枚数を多くすれば良いなど、柔軟な使用態様を実現することができる。また、通常の畳と間仕切りとを別々の備品として保管する必要がなく、通常の畳と間仕切りとを１つの備品として整然と保管することができる利点もある。さらに、袴１２，１３を間伐材から構成することにより、森林資源を有効に利用することができる。
【００２７】
本発明は、上記した実施形態に限定されるものではなく、以下のように変形または拡張することができる。
例えば半畳サイズの大きさの縁なし畳に適用する構成であっても良い。畳床を構成する板材の組み合わせや厚さは、他の組み合わせや暑さであっても良い。間仕切りとして使用する場合に、長辺側を下にして直立させる構成に限らず、短辺側を下にして直立させる構成であっても良い。
【図面の簡単な説明】
【００２８】
【図１】本発明の一実施形態を示す縦断側面図
【図２】縦断側面の一部の拡大図
【図３】表側から見た外観斜視図
【図４】裏側から見た外観斜視図
【図５】図４相当図
【図６】縁なし畳が間仕切りとして使用されている態様を概略的に示す図
【図７】図６相当図
【図８】図６相当図
【符号の説明】
【００２９】
図面中、１は縁なし畳（畳）、２は畳床、３は畳表、４は発泡体（板材）、５，６はプレート（板材）、７，８は発泡シート（板材）、９，１０は織布（板材）、１１ｇは接着剤、１２〜１４は袴（支持部材）を示す。
【図１】
2006194015.tif 000003
【図２】
2006194015.tif 000004
【図３】
2006194015.tif 000005
【図４】
2006194015.tif 000006
【図５】
2006194015.tif 000007
【図６】
2006194015.tif 000008
【図７】
2006194015.tif 000009
【図８】
2006194015.tif 000010